Podtech/llm-jp-corpus-v4-ja_patent huggingface dataset:
(57)【要約】【課題】床下、又は天井裏の、隅の部分に空気のよどみによる湿度上昇がみられ、これによりカビ、菌、異臭が発生する。本発明は、これを解決する装置を提供する。【解決手段】床下、又は天井裏の換気口に、屋外の乾燥空気を取り入れるための吸入口７を設置し、ダクト８を通じ、空気加圧送風機６より、多方向に加圧・送風して床下、又は天井裏のすみずみまで屋外の乾燥空気をいきわたらせる。【選択図】　図２
2004045006.tif 000002
【特許請求の範囲】
【請求項１】
床下の１つの換気口、又は天井裏の１つの換気口に屋外の乾燥した空気を取り入れるための吸入口を設置し、屋外の乾燥空気を吸入口より、ダクトを通じ、床下内部、又は天井裏内部のほぼ中央部に設置した空気加圧送風機より、多方向に加圧・送風し、床下内部、又は天井裏内部の高湿度空気を、他の換気口等から屋外へ排出せしめる。これにより床下内部、又は天井裏内部のすみずみまで乾燥させ、防臭・防カビ効果を高めることを特徴とする空気加圧送風装置。
【請求項２】
屋外の乾燥空気をダクトにより床下内部、又は天井裏内部に導き、多方向へ送風する事を特徴とした、請求項１記載の空気加圧送風装置。
【請求項３】
屋外の乾燥空気を床下内部、又は天井裏内部の中央部より多方向へ加圧・送風する事を特徴とした、請求項１記載の空気加圧送風装置。
【請求項４】
屋外の乾燥空気を吸入口に設置した空気加圧送風機を通じダクトにより、床下、又は天井裏内部の中央部へ導き、ダクト先端より多方向に送風する、請求項１記載の空気加圧送風装置。
【請求項５】
屋外の乾燥空気を取り入れるための吸入口に、防臭性・防カビ性・防菌性・殺虫性を有する気化薬剤を設置し、床下内部、又は天井裏内部に設置した空気加圧送風機により、加圧・送風し、床下内部、又は天井裏内部の防臭・防カビ・防菌・殺虫効果を高める事を特徴とした、請求項１に記載の空気加圧送風装置。
【発明の詳細な説明】
【０００１】
【発明の属する技術分野】
本発明は、床下、又は天井裏、収納庫、家畜・ペット小屋、トイレ等の、防臭防カビ、防菌を要する場所における空気送風装置に関する。
【０００２】
【従来の技術】
従来においては、床下の１つの換気口、又は天井裏の１つの換気口に換気扇を設置し、他の屋外に面した換気口より床下や天井裏の湿った空気を排出したり、屋外の乾燥した空気を取り入れたりし、これにより床下や天井裏等の湿度を降下させ、カビの発生や臭いを改善しようとしていた。
【０００３】
【発明が解決しようとする課題】
図１は従来の実施例を示すものである。
床下、又は天井裏等の基礎、又は支持材１の１つの換気口に換気扇２を取り付け、他の換気口３、４より屋外の乾燥空気を取り入れていた。床下、又は天井裏の空気の流れは、換気口３より換気扇２へ多く流れ、換気口４から換気扇２への流れは、少なくなるという問題があった。又換気口３・４から換気扇２へ最短距離を流れるので、隅の部分に空気のよどみができ、ここに湿気５がたまりやすく、特にこのような場所にカビや菌が発生し、臭いがするという問題があった。
本発明が解決しようとする課題は、このような空気の流れのよどみをなくし、床下内部や天井裏内部の湿度を著しく低下せしめる装置を提供することにある。
【０００４】
【課題を解決するための手段】
前記課題を解決するため、本発明の空気加圧送風装置は、床下の１つの換気口又は天井裏の１つの換気口に屋外の乾燥した空気を取り入れるための吸入口を設置し、屋外の乾燥空気を吸入口よりダクトを通じ、床下内部、又は天井裏内部のほぼ中央部に設置した空気加圧送風機により多方向に加圧・送風する事により床下、又は天井裏のすみずみまで、屋外の乾燥空気がいきわたり、床下内、又は天井裏内にあった高湿度空気を屋外に排出せしめる。
又吸入口に防臭性・防カビ性・防菌性・殺虫性を有する気化薬剤を設置することにより、気化薬剤が床下内、又は天井裏内のすみずみまでいきわたり、防臭・防カビ・防菌・殺虫の効果があらわれる。
【０００５】
【発明実施の形態】
以下、発明の実施の形態を説明する。
図２は本発明の実施例を示すものである。
本実施例においては、床下、又は天井裏等の基礎、又は支持材１の１つの換気口に、屋外の乾燥空気を取り入れるための吸入口７を設置し、屋外の乾燥空気を吸入口７よりダクト８を通じ、床下、又は天井裏のほぼ中央に設置した空気加圧送風機６より、多方向に加圧・送風して床下、又は天井裏のすみずみまで屋外の乾燥空気がいきわたり、床下内、又は天井裏内にあった高湿度空気を換気口１０より屋外へ排出せしめる。
又吸入口７に気化薬剤９を設置することにより、防臭・防カビ・防菌・殺虫の効果があらわれる。
【０００６】
【発明の効果】
上述したように、本発明によれば今まで出来なかった床下、又は天井裏のすみずみまで乾燥させる事ができ、防臭・防カビ・防菌・殺虫効果を高める事が出来る。
【図面の簡単な説明】
【図１】従来の実施例を示す図である。
【図２】本発明の実施例を示す図である。
【符号の説明】
１　基礎又は支持材、２　換気扇、３　換気口、４　換気口、５　湿気、６空気加圧送風機、７　吸入口、８　ダクト、９　気化薬剤、１０　換気口
【図１】
2004045006.tif 000003
【図２】
2004045006.tif 000004
(57)【要約】　　　（修正有）【課題】従来の換気扇（レンジフード）が持つ問題点、つまり、可動性の欠如、インテリアデザイン上の障害、および騒音を解決する。【解決手段】可動式アームにより、吸気口の位置を移動することが出来るリモートレンジフード付き換気扇。また、吸気口と換気扇本体部分を分離させたが故に、換気扇本体部分を「室外」に設置する事も可能となる。【選択図】図２
2004045008.tif 000002
【特許請求の範囲】
【請求項１】
可動式アームにより、吸気口の位置を移動することが出来るリモートレンジフード付き換気扇
【請求項２】
換気扇の本体部分を室外に設置する、請求項１のリモートレンジフード付き換気扇
【発明の詳細な説明】
この発明は、吸気口を本体から分離して、可動式アームに繋ぐことにより移動出来るようにしたキッチン用換気扇である。従来、キッチン用換気扇の吸気口は一個所に固定しているため、換気したい所から遠くになってしまって換気能力が低下するといった問題があった。また、サイズが大きいために、インテリアデザイン上の扱いが難しかったり、さらに、使用中の騒音がうるさいといったような問題点もあった。本発明は、換気扇の吸気口を本体部分から分離させて、ホースで繋ぎ、可動式アームを利用して移動させることにより、換気したい場所のそばまで吸気口を近づけることを容易にしたものである。また、吸気口と換気扇本体部分を分離させたが故に、換気扇の本体部分を「室外」に設置することも可能となり、室内におけるデザイン上の問題や騒音の問題も解決することが可能となった。本体部分を室外に設置するということは、「室内側の機器が小さくて済む」、また、「騒音も軽減される」ということを意味するからである。構造的には単純明快で、室外に設置した換気扇本体部分と室内側の吸気口をホースで繋ぎ、次に吸気口を室内の壁面に固定した可動式アームに繋いで、一体化させる。以上である。可動式アームの機能は照明用のアームスタンドなどと同等である。
【図面の簡単な説明】
【図１】本発明の正面図
【図２】本発明の側面図
【符号の説明】
１　吸気口　　２可動式アーム　３　ホース　４　換気扇本体（室外設置例）
【図１】
2004045008.tif 000003
【図２】
2004045008.tif 000004
(57)【要約】【課題】新規な感光性有機銀塩を提供する。【解決手段】特定の構造を有するピペラジンまたはピペリジン化合物と無機銀塩とより成る、感光性有機アミン銀塩。【選択図】　なし【特許請求の範囲】
【請求項１】
下記一般式［Ｉ］で示されるピペラジンまたはピペリジン化合物と無機銀塩とより成る感光性有機アミン銀塩。
【化１】
2004045550.tif 000003
〔一般式［Ｉ］において、Ｒはアルキレン基、Ｘは窒素原子または炭素原子を表し、ｎは１〜３である。また、Ｒ、ピペラジン環またはピペリジン環は置換基を有してかまわない。〕
【発明の詳細な説明】
【０００１】
【発明の属する技術分野】
本発明は、ピペラジンまたはピペリジン化合物と無機銀塩とより成る、新規な感光性有機銀塩に関する。
【０００２】
【従来の技術】
無機銀塩は感光性素材としてよく用いられている。とりわけハロゲン化銀を感光体とする銀塩写真技術は１００年以上の歴史を有し、その間様々な改良を加えられて今日でも広く用いられている。
【０００３】
これに対し、有機酸の銀塩は、ベヘン酸銀塩がいわゆるドライシルバーとして実用化されてはいるものの、感光能は高くない。
【０００４】
【発明が解決しようとする課題】
本発明の目的は、光に反応して、焼きだし銀が形成できる新規な感光性材料を提供することにあり、記録材料としても使うことができるものである。
【０００５】
【課題を解決するための手段】
本発明者は、有機アミンと無機銀塩から成る有機アミン銀塩について鋭意検討を行った。そして、ある種のピペラジンまたはピペリジン化合物の銀塩が感光性を有することを見いだし、本発明を完成するに至った。
【０００６】
出発原料のピペラジン及びピペラジン化合物は、具体的には下記一般式［Ｉ］で示される化合物である。
【０００７】
【化２】
2004045550.tif 000002
【０００８】
一般式［Ｉ］において、Ｒはアルキレン基、Ｘは窒素原子または炭素原子を表し、ｎは１〜３である。また、Ｒ、ピペラジン環またはピペリジン環は置換基を有してかまわない。
【０００９】
無機銀塩としては、種々のものを用いることができるが、水溶性のものが特に好ましい。その具体例として、硝酸銀、過塩素酸銀、アジ化銀等をあげることができる。
【００１０】
ピペラジンまたはピペリジン化合物と無機銀塩とはそれぞれ任意の溶媒、好ましくは水に溶解した上で、暗所にて混合される。その結果、ピペラジンまたはピペリジン化合物のアミン基と銀イオンが結合し、不溶の塩となり沈澱を形成して析出する。析出した銀塩は濾過、遠心分離等の方法により溶媒中から回収され、感光性素材として供せられる。
【００１１】
【発明の実施の形態】
以下、発明の実施のための具体的方法を詳細に説明する。
【００１２】
まず、本発明に用いられるピペラジン及びピペリジン化合物の具体例としては、１，２−ジピペラジノエタン、１，４−ビス［２−（１−ピペラジニル）エチル］ピペラジン、１，３−ジピペリジノプロパン等があげられるが、これに限定されない。
【００１３】
無機銀塩については、特に制限はないが、水溶性のものが好ましい。このようなものには硝酸銀、過塩素酸銀、アジ化銀等をあげることができる。硝酸銀は水溶性が高く、比較的安定であり、安全性も高いため、特に好ましい。銀塩の純度は高いほど良いが、銀塩写真に用いるほど高純度のものは必ずしも必要ない。
【００１４】
ピペラジンまたはピペリジン化合物と無機銀塩は溶媒、好ましくは水に溶解した状態で互いに混合される。混合比は特に制限はないが、無機銀塩１モルに対し、ピペラジンまたはピペリジン化合物０．０１〜１００モルが好ましい。ピペラジンまたはピペリジン化合物と無機銀塩とはそれぞれ少なくとも１種類ずつ用いればよいが、いずれか、あるいは両方とも複数の種類を併用してもかまわない。ピペラジンまたはピペリジン化合物と無機銀塩とは混合により、ピペラジンまたはピペリジン化合物と銀とより成る溶媒不溶の白色、もしくは薄い茶色の沈澱を生じる。沈澱の形で生じた有機アミン銀塩は濾過、遠心分離、その他の方法により溶媒と分離できるが、また分離せずにそのまま何らかの媒体に塗布・乾燥することにより取り出してもよい。この場合には、溶媒の一部をデカンテーションや蒸発により除去することにより、濃縮を行うこともできる。
【００１５】
得られた有機アミン銀塩は、最終的に溶媒を除去されて、固体として単離し得る。この有機アミン銀塩は感光性であるので、以上の作業は赤色灯下の暗室にて行うことが好ましい。得られた白色、もしくは薄い茶色の有機アミン銀塩は、光を照射することにより、黒色もしくは濃い茶色に変色する。
【００１６】
このような感光性を利用することにより、この有機アミン銀塩は記録材料として利用することができる。記録のための露光用光源としては、特に制限はなく、紫外や可視領域に波長を有する光ならば使用できる。具体例としては太陽光、蛍光灯、ＵＶランプ等があげられる。また、レーザー光のような収束された光源を使用することも可能である。露光に要する時間も、画像を形成するに足る時間であれば特に制限はない。
【００１７】
本発明の有機アミン銀塩を使用する際に、必要に応じて他の薬品、例えば、分散性向上のための界面活性剤、液性改良のための増粘剤、ｐＨ調整剤、消泡剤、バインダーとしての高分子化合物、熱硬化剤、増感色素、等々を混ぜてもよい。これらの薬剤の添加は、加工前でも加工後でもよい。また、有機アミン銀塩を調製する段階から、必要に応じて添加してもよい。
【００１８】
【実施例】
本発明を実施例によりさらに具体的に説明するが、本発明はその主旨を越えない限り、下記の実施例に限定されるものではない。なお、実施例中における％はすべて質量によるものである。
【００１９】
実施例１
英国特許８４０３５８号公報記載の方法に従い、１，２−ジピペラジノエタンを１ｇ合成した。これを１００ｇの蒸留水に投入して、水溶液を調製した。この水溶液を等モルの５％硝酸銀水溶液に暗所にて添加し、生じた白色の銀塩沈澱の少量を吸引濾過にて濾紙上に薄く広がるように回収し、さらに蒸留水を流してよく洗浄した。そして、この銀塩の乗った濾紙を真空乾燥で乾燥した。
【００２０】
こうして得られた濾紙の一部にＵＶランプで紫外線を照射したところ、濃い茶色に変色し、未照射の白色の部分と照射部との間に明瞭なコントラストが生じた。
【００２１】
実施例２
特開昭４９−４７３８０号公報記載の方法に従い、１，４−ビス［２−（１−ピペラジニル）エチル］ピペラジンを１ｇ合成した。これを実施例１と同様にして、水溶液から銀塩沈澱を調製した。この薄い茶色の銀塩沈澱の少量を吸引濾過にて濾紙上に薄く広がるように回収し、さらに蒸留水を流してよく洗浄した。そして、この銀塩の乗った濾紙を真空乾燥で乾燥した。
【００２２】
こうして得られた濾紙の一部にＵＶランプで紫外線を照射したところ、濃い茶色に変色し、未照射の薄い茶色の部分と照射部との間に明瞭なコントラストが生じた。
【００２３】
【発明の効果】
特定の構造を有するピペラジンまたはピペリジン化合物と無機銀塩とより、新規な感光性有機アミン銀塩を供することができるようになった。
(57)【要約】【課題】方向性を重要視する計量器において、上流側の取り付け口に、計量器の流出側取り付け口が接続されてしまう、逆取り付けが、絶対に起こらないようにすること。【解決手段】方向性を重要視する計量器の、流入側取り付け部のネジ山に対して、流出側取り付け部のネジ山を逆ネジとするものである。【選択図】　　　図２
2004045360.tif 000002
【特許請求の範囲】
【請求項１】
計量物の流入と流出の方向性を重要視する計量器（２）において、流入側取り付け部（４）のネジ山（７）に対して、流出側取り付け部（６）のネジ山（８）及びメータソケット（３）の計量器接続側ネジ山（９）の両方を、同じ逆ネジとする、逆取り付け防止機能付計量器。
【請求項２】
計量物の流入と流出の方向性を重要視する計量器（２）の、流入側取り付け部（４）のネジ山（７）を右ネジ（１０）とし、流出側取り付け部（６）のネジ山（８）を左ネジ（１１）とした、請求項１記載の逆取り付け防止機能付計量器。
【請求項３】
計量物の流入と流出の方向性を重要視する計量器（２）の、流入側取り付け部（４）のネジ山（７）を左ネジ（１２）とし、流出側取り付け部（６）のネジ山（８）を右ネジ（１３）とした、請求項１記載の逆取り付け防止機能付計量器。
【発明の詳細な説明】
【０００１】
【発明の属する技術分野】
本発明は、計量物が計量器を通過することにより、その使用量を計量する計量器において、計量物の流入と流出の方向性を重要視する計量器の、逆取り付け防止に関するものである。
【０００２】
【従来の技術】
従来、方向性を重要視する計量器の逆取り付け防止策は、計量器本体に矢印等を付け、その矢印等を確認することにより、流入側と流出側の判別を行い、逆取り付けにならないようにして、取り付けていた。
【０００３】
【発明が解決しようとする課題】
これは、次のような次点があった。
計量器の側面に、計量物の流入と流出の方向を矢印等で示してあるが、その矢印による確認を怠って、計量物の流入側に計量器の流出口が誤って設置されても、計量器の流入側と流出側のネジ山が両方とも同じ右ネジであるため、全く支障なく、取り付けられてしまい、計量をすることができない逆取り付けの事態が、発生するという欠点があった。
本発明は、この欠点を解決するために発明されたものである。
【０００４】
【課題を解決するための手段】
本発明は、右ネジ仕様の仕切弁（１）に接続する場合において、方向性を重要視する計量器（以下計量器とする）（２）の流入側取り付け部（４）のネジ山（７）を右ネジ（１０）とし、流出側取り付け部（６）のネジ山（８）を逆ネジすなわち左ネジ（１１）にすることにより、計量器（２）の流入側取り付け部（４）が設置されるべきところに、間違って計量器の流出側取り付け部（６）が設置されても、接続機器である仕切弁（１）の右ネジと計量器（２）の左ネジ（１１）との結合になり、計量器（２）と接続機器である右ネジ仕様の仕切弁（１）との取り付けが不可能となり、逆取り付けは絶対に発生しない構造をもった、逆取り付け防止機能付計量器である。
また、左ネジ仕様の仕切弁（１）に接続する場合において、計量器（２）の流入側取り付け部（４）を左ネジ（１２）とし、計量器（２）の流出側取り付け部（６）を右ネジ（１３）にすることによる本発明は、間違って流入側接続機器である仕切弁（１）に、計量器（２）の流出側取り付け部（６）が設置されても、接続機器である左ネジ仕様の仕切弁（１）の左ネジと計量器（２）の右ネジ（１３）との結合になり、締め付けることが不可能となり、逆取り付けが絶対に起こり得ない構造を持った、逆取り付け防止機能付計量器である。
【０００５】
【発明の実施の形態】
以下、本発明の実施の形態を説明する。
本発明は、水道の量水器（２）において、水道水が流入する側の接続機器である、右ネジ仕様の仕切り弁（１）との接続個所である、流入側取り付け部（４）のネジ山（７）を右ネジ（１０）とし、量水器（２）を通過して来た水道水の流出側となる、流出側取り付け部（６）のネジ山（８）及びメータソケット（３）の量水器接続側ネジ山（９）を、それぞれ左ネジ（１１）とする。
以上の構成からなる、逆取り付け防止機能付量水器である。
【０００６】
【発明の効果】
本発明は、以上に説明をしたような形態で実施され、以下に記載されるような効果を奏する。
右ネジ仕様である仕切弁との接続側である、量水器の流入側取り付け部のネジ山を右ネジとし、流出側の取り付け部のネジ山及びメータソケットの量水器接続側ネジ山を、流入側に対して逆ネジとなる、左ネジとすることにより、量水器の方向性を示す矢印の確認を怠って、右ネジ仕様の仕切弁と量水器の流出側取り付け部とを接続しようとしても、右ネジと左ネジとの接合となって、噛み合わず、絶対に接続を行うことは不可能となる。
また、同じ姿勢でネジを締め付けるにあたって、流入側の締め付ける方向は右ネジのため、右方向（時計回り）となるが、流出側の締め付ける方向も左ネジとしたため、流入側と同じ右方向（時計回り）となる。
このため、ネジを締め付ける道具であるウォーターポンププライヤーを使用する時に、ウォターポンププライヤーは回転軸が回転側になければならないが、上記のように、流入側も流出側も同じ右方向（時計回り）となるため、従来のように回転軸を変えるために、ウォターポンププライヤーをいちいち持ち替える必要がなくなり、流入側を締め付けた状態で、流出側も締め付けることが可能となり、作業性が非常に良くなる。
【図面の簡単な説明】
【図１】従来の実施状態を示す斜視図である。
【図２】右ネジ仕様の仕切弁に接続する場合の、本発明の斜視図である。
【図３】左ネジ仕様の仕切弁に接続する場合の、本発明の斜視図である。
【符号の説明】
１　仕切弁
２　計量器（量水器）
３　メータソケット
４　流入側取り付け部
５　計量器（量水器）の方向性を示す矢印
６　流出側取り付け部
７　ネジ山
８　ネジ山
９　ネジ山
１０　右ネジ
１１　左ネジ
１２　左ネジ
１３　右ネジ
【図１】
2004045360.tif 000003
【図２】
2004045360.tif 000004
【図３】
2004045360.tif 000005
(57)【要約】【課題】点状Ｘ線発生源であるＸ線発生装置でＸ線透過画像を撮像する場合、円錐状に広がるＸ線照射での撮像となるため、前記被写体であるプリント基板の大きさが大きい場合、自重によるたわみが発生する可能性があり、該たわみが発生すると前記プリント基板とＸ線発生装置のＸ線発生点との距離が変化し、投影する幾何学条件がくるい、安定な画像が得られなくなるという欠点がある。【解決手段】本発明は上記の目的を達成するため、被写体である前記プリント基板の下にカーボン板を設置し、該カーボン板を下から支えるボール機構により前記プリント基板の自重から発生するたわみを防止することにより、前記プリント基板とＸ線発生装置のＸ線発生点の距離を所定の距離に保つようにしたものである。【選択図】　図１
2004045331.tif 000002
【特許請求の範囲】
【請求項１】
Ｘ線を発生するためのＸ線発生部と、Ｘ線透視画像を撮像するためのイメージインテンシファイアと、レンズシステム及びテレビカメラシステムを有する撮像部と、該撮像部で撮像する被写体の位置を変えるためのＸＹステージとを備えたＸ線検査装置において、前記被写体は板状であって、前記Ｘ線発生部からのＸ線が透過する部分の近傍に前記被写体の自重による被写体の下部に該被写体のたわみ防止手段を具備したことを特徴とするＸ線検査装置。
【請求項２】
請求項１のＸ線検査装置において、被写体がプリント基板で、該プリント基板の自重によるたわみ防止手段として前記プリント基板を支えるボール機構と、該ボール機構と前記プリント基板の間にカーボン板とを備え、前記プリント基板と前記ボール機構の接触から発生するダメージ（傷等）を防止すると共にプリント基板をスムーズに移動させることを特徴とするＸ線検査装置。
【請求項３】
請求項１乃至２のＸ線検査装置において、Ｘ線を発生させる点とＸ線透視画像を撮像するためのイメージインテンシファイアの入力面までの距離と、Ｘ線を発生させる点と撮像する被写体であるプリント基板までの距離とを一定に保つことを特徴とするＸ線検査装置。
【発明の詳細な説明】
【０００１】
【発明の属する技術分野】
本発明は被破壊検査の分野で定着しているＸ線検査装置において、例えば、被写体として電気・電子機器に用いるプリント基板とし、該プリント基板上又はプリント基板内のパターン間の距離測定、スルーホール検査、はんだ付け等の検査をするためのＸ線検査装置に関するものである。
【０００２】
【従来の技術】
従来、Ｘ線検査装置において、被写体である前記プリント基板上又はプリント基板内のパターン間の距離測定、スルーホール検査、はんだ付け等の検査は、前記プリント基板の自重によるたわみに起因するＸ線透過画像上の距離に誤差が生じる幾何学拡大を行わずに測定、検査を行う方式が一般的であった。
【０００３】
【発明が解決しようとする課題】
従来の技術では、点状Ｘ線発生源であるＸ線発生装置でＸ線透過画像を撮像する場合、円錐状に広がるＸ線照射での撮像となるため、前記被写体であるプリント基板の大きさが例えば、６００ｍｍ×６００ｍｍ以上のように大きい場合、自重によるたわみが発生する可能性があり、該たわみが発生すると前記プリント基板とＸ線発生装置のＸ線発生点との距離が変化し、投影する幾何学条件がくるい、安定な画像が得られなくなるという欠点がある。
本発明は上記欠点を除去し、点状Ｘ線発生源であるＸ線発生装置の特徴である幾何学拡大を行い、鮮明なＸ線透過画像を用いて、安定な画像（一定倍率の画像）を得て前述の検査を行うＸ線検査装置を提供することを目的とする。
【０００４】
【課題を解決するための手段】
本発明は上記の目的を達成するため、被写体である前記プリント基板の下にカーボン板を設置し、該カーボン板を下から支えるボール機構により前記プリント基板の自重から発生するたわみを防止することにより、前記プリント基板とＸ線発生装置のＸ線発生点の距離を所定の距離に保つようにしたものである。
【０００５】
【発明の実施の形態】
以下、本発明の一実施例を図１及び図２を使って説明する。図１は、本発明の一実施例の正面図で、図２は、本発明の一実施例の平面図である。１はＸ線発生装置、２はＸ線透視画像を撮像するためのイメージインテンシファイア等でレンズシステム及びテレビカメラシステムを含む、３は被写体であるプリント基板、４カーボン板、５はプリント基板及びカーボン板を下から支えるボール機構である。
【０００６】
ボール機構５は、プリント基板３が自重で下にたわみ、Ｘ線発生装置のＸ線発生点との距離が短くなったり、長くなったりしないように、所定の距離となるようにするものである。カーボン板４は、前記プリント基板３とボール機構５が直接接触した場合、こすれることなどにより発生する傷等プリント基板にダメージを与えないようにするためのものである。なお、カーボン板５は、Ｘ線を透過しやすい素材であるから透視画像になんら悪影響を与えないものである。
【０００７】
また、ボール機構５は図２の平面図に示すように、少なくとも３ヶ所用意すれば、被写体であるプリント基板３を安定な水平状態を保つことができる。従って、ボール機構５の数を増やせばなお安定な状態を保つことができることは言うまでもない。
【０００８】
【発明の効果】
本発明によれば、プリント基板の自重から発生するたわみを防止することができ、また前記プリント基板とＸ線発生装置のＸ線発生点の距離を所定の距離に保つことができ、鮮明なＸ線透過画像を用いて、安定な画像（一定倍率の画像）を得て前述の検査を行うＸ線検査装置を提供することができる。
【図面の簡単な説明】
【図１】本発明の一実施例の正面図
【図２】本発明の一実施例の平面図
【符号の説明】
１：Ｘ線発生装置、２：イメージインテンシファイア等、３：プリント基板、４：カーボン板、５：ボール機構
【図１】
2004045331.tif 000003
【図２】
2004045331.tif 000004
(57)【要約】【課題】映像の輝度平均レベルが低い瞬間に画面位置をずらすことによって、違和感なく焼付きを防止する。【解決手段】入力端子１から入力された映像信号２の平均輝度レベルをＡＰＬ検出手段３で検出し、マイクロコンピュータ５に送る。マイクロコンピュータ５はＡＰＬ検出手段３から送られたＡＰＬ値４がある閾値以下であれば、表示位置変更手段６に表示位置情報７を送り、表示位置変更手段６では映像信号２に対して表示位置情報７に基づいて表示位置を変更した表示位置変更後映像信号８をディスプレイ９に出力して表示位置をずらせて焼付きを防止する。【選択図】　図１
2004045815.tif 000002
【特許請求の範囲】
【請求項１】
映像入力端子から入力された映像信号の輝度平均レベルを検出するＡＰＬ検出手段と、映像の表示位置を上下左右に変更する表示位置変更手段と、前記ＡＰＬ検出手段の信号を受け取り前記表示位置変更手段に表示位置制御信号を送る制御手段とを備え、映像信号の輝度平均レベルが所定の値以下のときに映像の表示位置を変更するように構成した映像表示装置。
【発明の詳細な説明】
【０００１】
【発明の属する技術分野】
本発明は、プラズマディスプレイやテレビジョン受像機などの映像表示装置に関するものである。
【０００２】
【従来の技術】
従来、この種の映像表示装置において、画面の焼付きを防止するため、一般的には表示位置を定期的にずらす方法やスクリーンセーバー画面に切り替える方法が用いられている。
【０００３】
【発明が解決しようとする課題】
しかし、スクリーンセーバー画面に切り替えると、必要な画面情報を見ることができなくなり、また、表示位置を定期的にずらす方法では、位置がずれる瞬間が確認でき、違和感を覚えるという課題があった。
【０００４】
本発明はこのような課題を解決し、違和感なく焼付きを防止することを目的とするものである。
【０００５】
【課題を解決するための手段】
この課題を解決するために、本発明の映像表示装置は、映像入力端子から入力された映像信号の輝度平均レベル（以下、ＡＰＬという）を検出するＡＰＬ検出手段と、映像の表示位置を上下左右に変更する表示位置変更手段と、前記ＡＰＬ検出手段の信号を受け取り前記表示位置変更手段に表示位置制御信号を送る制御手段とを備え、映像信号のＡＰＬが所定の値以下のときに映像の表示位置を変更するように構成したものである。すなわち、入力される映像信号のＡＰＬを検出し、ＡＰＬの値が低くなったときに、画面表示位置をずらせて焼付きを防止するものである。
【０００６】
【発明の実施の形態】
以下、本発明の一実施の形態について、図１を用いて説明する。
【０００７】
図１は本発明の一実施の形態による映像表示装置において、焼付き防止装置の構成を示すブロック図である。図１において、１は映像信号２の入力端子で、映像信号２の種類は、コンポジット信号、Ｓ信号、コンポーネント信号のいずれでも良いが、Ｓ信号、コンポーネント信号の場合、輝度信号であるＹ信号を対象とする。３はＡＰＬ検出手段であり、入力端子１から入力された映像信号２のＡＰＬ値４を検出し、制御手段であるマイクロコンピュータ５に送る。
【０００８】
このマイクロコンピュータ５はＡＰＬ検出手段３から送られたＡＰＬ値４がある閾値以下であれば、映像の表示位置を上下左右に変更する表示位置変更手段６に表示位置情報７を送るもので、表示位置変更手段６では映像信号２に対して表示位置情報７に基づいて表示位置を変更した表示位置変更後映像信号８をディスプレイ９に出力する。表示位置変更後映像信号８に基づいて、ディスプレイ９では、正規の表示位置からずれた位置となるように画面に出力される。
【０００９】
すなわち、本発明においては、映像信号のＡＰＬ値４がある値以下のときに映像の表示位置をずらせるように構成しているため、焼付き防止のために映像の表示位置をずらせた瞬間をユーザが認識しにくくなり、これによりユーザに違和感を与えることなく、焼付き防止動作を行わせることができる。
【００１０】
【発明の効果】
以上説明したように本発明によれば、スクリーンセーバーによる画面情報の欠如や、画面位置をずらす瞬間の違和感を伴うことなく焼付きを防止することができるという効果が得られる。
【図面の簡単な説明】
【図１】本発明の一実施の形態による現像表示装置の要部構成を示すブロック図
【符号の説明】
１　入力端子
２　映像信号
３　ＡＰＬ検出手段
４　ＡＰＬ値
５　マイクロコンピュータ
６　表示位置変更手段
７　表示位置情報
８　表示位置変更後映像信号
９　ディスプレイ
【図１】
2004045815.tif 000003
(57)【要約】【課題】デジタルカメラの主要な構成要素のレイアウトを工夫することにより、カメラの正面の投影面積を最小にする。【解決手段】レンズ１０及びファインダ１１を正面からみて右側に配置し、電池１２を正面からみて左側に配置し、レンズ１０及びファインダ１１と電池１２との間に軸を鉛直にしてメインコンデンサ２０を配設し、メインコンデンサ２０の上方にストロボ３０を、メインコンデンサ２０の下方に電動バリアモータユニット４０を配置した。【選択図】　　　　図１
2004045820.tif 000002
【特許請求の範囲】
【請求項１】
レンズ及びファインダを正面からみて右側に配置し、電池を正面からみて左側に配置し、レンズ及びファインダと電池との間に軸を鉛直にしてメインコンデンサを配設し、メインコンデンサの上方にストロボを、メインコンデンサの下方にモータユニットを配置したことを特徴とするカメラのレイアウト。
【発明の詳細な説明】
【０００１】
【発明の属する技術分野】
本発明は、カメラ、特にデジタルカメラのレイアウトに関する。
【０００２】
【従来の技術】
デジタルカメラを小型化する技術として従来種々の工夫がなされている。例えば、特開平１１−８７８６号公報には、把持部内にメモリカード装着部と電池収納室を設け、メモリカード装着部はカメラ本体の前面側一杯に配置し、電池収納室を把持部の後方側にまとめる技術が示されている。この技術は電池収納室に余分な内壁がないので利用可能なスペースが拡大され、カメラの小型化を達成できるとしている。
【０００３】
特開２００１−９１９９１号公報には、折り曲げ光学系を有する電子カメラの小型化技術として、折曲げ光路の第１、第２光軸を含む面の筐体内にメモリカード用スロットとストロボとを配置してカメラを薄形にすることが示されている。
【０００４】
以上の技術はデジタルカメラを小型化するに当ってカメラの正面の投影面積を最小にするという観点からの創意は全くない。
【０００５】
【発明が解決しようとする課題】
デジタルカメラの主要な構成要素として基板、レンズ、ファインダ、カードコネクタ、電池、メインコンデンサ、バリアモーターユニット、ストロボ、ＬＣＤ等がある。小型化実現のためには、それらの構成要素の大きさと機能に応じて、構成要素を効率的に配置する必要がある。
【０００６】
本発明は、カメラの正面の投影面積を最小限にし、カメラの小型化を図ったカメラのレイアウトを提供することを目的とするものである。
【０００７】
【課題を解決するための手段】
本発明は、上記課題を解決するためになされたもので、その技術手段はレンズ及びファインダを正面からみて右側に配置し、電池を正面からみて左側に配置し、レンズ及びファインダと電池との間に軸を鉛直にしてメインコンデンサを配設し、メインコンデンサの上方にストロボを、メインコンデンサの下方にモータユニットを配置したことを特徴とするカメラのレイアウトである。
【０００８】
本発明ではレンズ及びファインダと電池との間にストロボとメインコンデンサと電動バリアモータユニットを配置して、カメラの正面の投影面積を最小にした。
【０００９】
【発明の実施の形態】
以下図面を参照して本発明の実施の形態を説明する。図１は実施例のデジタルカメラ１の正面側から見た斜視図で、本体２、フロントパネル４、ＬＣＤ３、及びリアパネル５を分解した状態を示したものである。
【００１０】
実施例のカメラ１は、正面側から見て右側にレンズ１０及びファインダ１１を配設し、左側に電池収納部１２を配置し、レンズ１０と電池収納部１２との間にメインコンデンサ２０を配置している。メインコンデンサ２０は軸を鉛直に配設し、その上方にストロボ３０、下方に電動バリアモータユニット４０を配設した。このレンズ１０と電池収納部１２との間に最も合理的にメインコンデンサ２０とストロボ３０と電動バリアモータユニット４０を配設したことが本発明の最も特徴とするところである。
【００１１】
このことによって、デジタルカメラの正面の投影面積が最小となる。なお、カメラの背面側には主基板１５が配置され、ＬＣＤ３が配設されている。またカメラの上面に操作基板１６が配設されている。フロントパネル４にはレンズ、ファインダ、ストロボ等の開口が設けられ、リアルパネル５にはＬＣＤの窓などが設けられている。
【００１２】
【発明の効果】
本発明によれば、レンズ及びファインダを正面からみて右側に配置し、電池を正面からみて左側に配置し、レンズ及びファインダと電池との間に軸を鉛直にしてメインコンデンサを配設し、メインコンデンサの上方にストロボを、メインコンデンサの下方に電動バリアモータユニットを配置したので、カメラの正面の投影面積が最小となる。
【図面の簡単な説明】
【図１】実施例のデジタルカメラの正面側から見た斜視図である。
【符号の説明】
１　　デジタルカメラ
２　　本体
３　　ＬＣＤ
４　　フロントパネル
５　　リアパネル
１０　　レンズ
１１　　ファインダ
１２　　電池収納部
１５　　主基板
１６　　操作基板
２０　　メインコンデンサ
３０　　ストロボ
４０　　電動バリアモータユニット
【図１】
2004045820.tif 000003
(57)【要約】【課題】レーザー墨出し器１は業種や使用作業によって、使われるラインが異なる。垂直ラインを使用する場合は直接床の上で使われることが多く、水平ラインの場合は、三脚５に取付けて使用されることが多い。墨出し器１の三脚５への着脱を簡単にできると共に適正な保持力で冠着できるような三脚取付け具１１を提供する。【解決手段】墨出し器１の下部に円筒状の凹部４を設ける。三脚５の上部にはおねじ１０を設け、三脚取付け具１１と螺合する。三脚取付け具１１の上部には円筒状の凸部１３を設けて、墨出し器１の凹部４と嵌合させ、嵌合部にＯリング１４を入れることで、墨出し器１を簡単に着脱できる。【選択図】　図１
2004045240.tif 000002
【特許請求の範囲】
【請求項１】
半導体レーザーを光源とし、レンズを介して垂直ライン、水平ラインあるいはこれらの複合ラインを照射するレーザー墨出し器において、
三脚に螺合する取付け具を設け、取付け具と墨出し器を凹凸嵌合させ、この嵌合部にＯリングを設けたことを特徴とするレーザー墨出し器における三脚取付け具。
【発明の詳細な説明】
【０００１】
【発明の属する技術分野】
本発明は、建築または建設現場で使用されるレーザー墨出し器を、三脚に取付けて作業する場合の三脚取付け具に関するものである。
【０００２】
【従来の技術】
建築現場などでは業種や、作業内容に応じて垂直ラインを使用する場合や水平ラインを使用する場合がある。通常、垂直ラインを使用する場合は、床に標された基準墨にライン合わせがあるため三脚は使用されない。三脚上からのライン合わせが面倒なためである。水平ラインを使用する場合には窓枠などの位置に合わせるため、上下移動が必要となり、三脚は必ず使用される。
【０００３】
従って墨出し器と三脚の着脱操作は頻繁に行われる。従来、墨出し器と三脚をねじで螺合するやり方が一般的である。別なやり方としては三脚取付け具を用い、墨出し器の凹部と三脚取付け具の凸部を冠着させるものがある。
【０００４】
両者にはそれぞれ問題があり、前者は着脱の面倒さがあり、後者は容易に外れるため、三脚移動時に墨出し器を落下させてしまうなどの問題があった。
【０００５】
【発明が解決しようとする課題】
本発明の目的は、墨出し器本体の着脱が簡単で、墨出し器が三脚に取付いた状態で下側に向けても自重で落下しない程度の保持力が得られる三脚取付け具を提供することである。
【０００６】
【課題を解決するための手段】
上記目的は、三脚取付け具を用い、三脚に螺合する取付け具を設け、取付け具と墨出し器とは凹凸嵌合させ、嵌合部にＯリングを設けることにより達成される。
【０００７】
【発明の実施の形態】
本発明の実施形態を図１を参照して説明する。
レーザー墨出し器１は、図示しない半導体レーザ及びレンズなどから構成され、上部には垂直ラインを照射する垂直照射口２と、中央部には水平ラインを照射する水平照射口３が設けられている。墨出し器１の下部には円筒状の凹部４を設けられている。
【０００８】
三脚５は脚６が２段式でカメラ用三脚で周知の如く収縮可能となっている。上部にはハンドル７が設けられ、ハンドル７の回転でシリンダ８が昇降する。シリンダ８の天板９にはおねじ１０が設けられている。
【０００９】
三脚取付け具１１は円筒状で、下部にはめねじ１２、上部には円筒状の凸部１３が設けられている。凸部１３の中央部にＯリング１４を設けられている。Ｏリング１４には適正なつぶし代を与えられ、凹凸部の嵌合は着脱可能で墨出し器１の自重が保持できる程度の嵌合とする。凹凸部は墨出し器１、三脚取付け具１１のどちらに配置しても、また、Ｏリング１４は凹凸どちら側に入れても同様な効果が得られる。
【００１０】
墨出し器１は通常直接床の上で使用される。三脚５に取付ける場合は、事前に三脚５に取付けていた三脚取付け具１１の凸部１３に墨出し器１の凹部４を合わせ、軽く押し込む。墨出し器１を三脚５から外す場合は、墨出し器１を三脚取付け具１１から引き抜く。
【００１１】
【発明の効果】
本発明によれば、頻繁に行われる三脚への着脱操作が簡単にできると共に適正な荷重で冠着できるため、運搬時に三脚を横倒しにして運んでも、墨出し器が落下することはない。
【図面の簡単な説明】
【図１】本発明の実施形態を示す正面図である。
【符号の説明】
１…機体、４…凹部、５…三脚、１１…三脚取付け具、１３…凸部、１４…Ｏリング。
【図１】
2004045240.tif 000003
(57)【要約】【課題】ベース上のｘｙ面内で移動台の位置決めを行えるようにする。【解決手段】ベース１２上にｘ軸に沿うｘ軸ガイド部材１３を設け、ｘ軸ガイド部材１３に沿って移動するｘ軸移動台１４を設ける一方、ｘ軸移動台１４にはｙ軸に沿うｙ軸ガイド部材１５を固着し、ｙ軸ガイド部材１５に沿って移動するｙ軸移動台１６をベース１２上に設ける。【選択図】　図１
2004045252.tif 000002
【特許請求の範囲】
【請求項１】
ベース上にｘｙ平面を想定し、ｘ軸に沿うｘ軸ガイド部材をベース上に設けるとともに当該ｘ軸ガイド部材に沿ってベース上を移動自在なｘ軸移動台にｙ軸に沿うｙ軸ガイド部材を固着し、当該ｙ軸ガイド部材に沿ってベース上を移動自在なｙ軸移動台を設け、前記ｘ軸移動台および前記ｙ軸ガイド部材をｘ軸に沿って移動させるｘ軸駆動手段と、前記ｙ軸移動台を前記ｙ軸ガイド部材に沿って移動させるｙ軸駆動手段とを設けたことを特徴とする移動ベッド。
【発明の詳細な説明】
【０００１】
【発明の属する技術分野】
本発明は移動ベッドに関し、軽量化して低コストで製造できるようにしたものである。
【０００２】
【従来の技術】
トランスミッション，トランスアクスル，トランスファー，ディファレンシャルギヤ等の自動車用の動力伝達系部品を試験するのにダイナモメータが用いられる。この場合、ダイナモメータを床面上でｘ，ｙ方向へ移動させ、ダイナモメータを動力伝達系部品の入力軸又は出力軸と接続させなければならない。
【０００３】
図２に示すのは、定盤上でダイナモメータを移動させるための従来の移動ベッドである。図のように、定盤１上に第一ガイド３を介してｘ方向へ移動自在に第一移動台４が設けられ、第一移動台４は第一油圧シリンダ２のロッドに連結される。第一移動台４の上には第二ガイド５を介してｙ方向へ移動自在に第二移動台６が設けられ、第二移動台６は第二油圧シリンダ７のロッドに連結される。そして、第二移動台６の上にダイナモメータ８が設置される。９はトルクメータ、１０はミッション取付台である。
【０００４】
第一油圧シリンダ２と第二油圧シリンダ７とを動作させることで第二移動台６をｘ，ｙ両方向へ移動させ、ダイナモメータ８を、動力伝達系部品であるトルクメータの入力軸又は出力軸と接続させることができる。
【０００５】
【発明が解決しようとする課題】
ところが、ｘ方向へ移動する第一移動台とｙ方向へ移動する第二移動台とを順番に定盤の上に載せる三段構成のため、移動ベッドの重量が大きくて製造コストが高いだけでなく、上下方向の高さが高いために操作性が悪い。
【０００６】
そこで本発明は、斯かる課題を解決した移動ベッドを提供することを目的とする。
【０００７】
【課題を解決するための手段】
斯かる目的を達成するための本発明の構成は、ベース上にｘｙ平面を想定し、ｘ軸に沿うｘ軸ガイド部材をベース上に設けるとともに当該ｘ軸ガイド部材に沿ってベース上を移動自在なｘ軸移動台にｙ軸に沿うｙ軸ガイド部材を固着し、当該ｙ軸ガイド部材に沿ってベース上を移動自在なｙ軸移動台を設け、前記ｘ軸移動台および前記ｙ軸ガイド部材をｘ軸に沿って移動させるｘ軸駆動手段と、前記ｙ軸移動台を前記ｙ軸ガイド部材に沿って移動させるｙ軸駆動手段とを設けたことを特徴とする。
【０００８】
【発明の実施の形態】
以下、本発明による移動ベッドの実施の形態を説明する。
【０００９】
図１に示すようにベース１２が設けられており、ベース１２には逆Ｔ字型の断面形状の溝１２ａが等間隔に設けられている。ベース１２の上面には図中の左右方向がｘ軸で上下方向がｙ軸のｘｙ面が想定されている。
【００１０】
ベース１２の上面にはｘ軸に沿って長いｘ軸ガイド部材１３が固定して設けられている。そして、ｘ軸ガイド部材１３に沿って移動自在なｘ軸移動台１４が設けられている。ｘ軸移動台１４はｘ軸方向に長く、ｘ軸移動台１４にはｙ軸に沿って長いｙ軸ガイド部材１５が取り付けられている。そして、ｘ軸移動台１４とｙ軸ガイド部材１５とを強固に結合するために補強部材１５ａ，１５ｂが設けられている。このｙ軸ガイド部材１５はベース１２に対して摺動しながら移動する。このｙ軸ガイド部材１５に沿って移動自在にｙ軸移動台１６が設けられている。
【００１１】
前記のｘ軸ガイド部材１３とｘ軸移動台１４との関係及びｙ軸ガイド部材１５とｙ軸移動台１６との関係は、既存の構成が採用されている。
【００１２】
ｘ軸移動台１４とｙ軸ガイド部材１５との双方をベース１２上で摺動させながらｘ軸に沿って移動させるためのモータ（ｘ軸駆動手段）１７がベース１２上にステー１８を介して取り付けられている。モータ１７の出力軸１７ａに直結されたねじ軸１９の一端が軸受２０により支持され、ねじ軸１９の他端はｙ軸ガイド部材１５に固着されたナット部材２１に螺合されている。
【００１３】
また、ｙ軸移動台１６をベース１２上で摺動させながらｙ軸に沿って移動させるためのモータ（ｙ軸移動手段）２２がｘ軸移動台１４の上に取り付けられている。モータ２２の出力軸２２ａにはねじ軸２３が連結され、ねじ軸２３はｙ軸移動台１６に固着されたナット部材２４に螺合されている。そして、ｙ軸移動台１６上にダイナモメータ２５が載置されている。
【００１４】
ベース１２上でｙ軸移動台１６の位置決めを行うには、以下のようにして行う。まず、左右方向であるｘ軸方向での位置決めを行うために、モータ１７を回転させる。すると、出力軸１７ａを介してねじ軸１９が回転するので、ねじ軸１９が螺合するナット部材２１と共にｙ軸ガイド部材１５が左右方向へ移動する。このとき、ｙ軸ガイド部材１５の図中の上部はｘ軸移動台１４に結合されており、ｘ軸移動台１４はｘ軸ガイド部材１３に沿って左右方向へ移動する。
【００１５】
次に、左右方向での位置決めが終了して上下方向での位置決めを行う。モータ２２の出力軸２２ａを回転させるとその回転がねじ軸２３へ伝わり、ねじ軸２３の螺合するナット部材２４と共にｙ軸移動台１６が上下方向へ移動する。このとき、ｙ軸移動台１６はｙ軸ガイド部材１５に沿って上下方向へ移動する。
【００１６】
これにより、上下方向での位置決めが終了しベース１２のｘｙ面上でのｙ軸移動台１６の位置決めが完了する。位置決めが終了したら、溝１２ａを利用して、ベース１２上にｙ軸移動台１６を固定する。
【００１７】
【発明の効果】
以上の説明からわかるように、請求項１に係る移動ベッドによればｘ軸移動台の上にｙ軸移動台を重ねることなく、ｘ軸移動台とｙ軸移動台との双方をベース上に設けた二段構成なので、従来の移動ベッドに比べて高さが低くなるとともに重量が小さくなる。また、操作性が向上する。
【図面の簡単な説明】
【図１】本発明による移動ベッドの実施の形態に係り、（ａ）は左側面図、（ｂ）は正面図、（ｃ）は底面図。
【図２】従来の移動ベッドに係り、（ａ）は平面図、（ｂ）は正面図。
【符号の説明】
１２…ベース
１３…ｘ軸ガイド部材
１４…ｘ軸移動台
１５…ｙ軸ガイド部材
１６…ｙ軸移動台
１７，２２…モータ
【図１】
2004045252.tif 000003
【図２】
2004045252.tif 000004
(57)【要約】【課題】補助道具を必要としない首長インサートハンマーを提供する。【解決手段】パイプ柄（２）の柄尻に磁石（４）を設け、反対側に首長ハンマー（１）を装着することを特徴とする。【選択図】　図１
2004074392.tif 000002
【特許請求の範囲】
【請求項１】
パイプ柄（２）の柄尻に磁石（４）を設け、反対側に首長ハンマー（１）を装着した、首長インサートハンマー。
【発明の詳細な説明】
【０００１】
【発明の属する技術分野】
この発明は、釘付き打ち込み型インサート及びはめ込み型インサートの取り付けに使える、首長インサートハンマーに関するものである。
【０００２】
【従来の技術】
従来、補助道具を使って普通のハンマーで取り付けていた。
【０００３】
【発明が解決しようとする課題】
これは次のような欠点があった。
（イ）床木製板型枠の上に、釘付き打ち込み型インサートを取り付ける時、上段下段にそれぞれマス目に組まれた床の鉄筋の上からインサートを打ち込もうとした場合、普通のハンマーではインサートの頭までハンマーが届かないので、インサートとハンマーの間に太い鉄棒などの補助道具を使って、非能率な取り付け作業をしていた。
（ロ）床鉄板製型枠の上に、はめ込み型インサートを取り付ける時、上段下段にそれぞれマス目に組まれた床の鉄筋の上から、あらかじめ床にあけてある専用の穴に、手でつかんだインサートをはめ込もうとした場合、鉄筋がじゃまになり手がさし込みにくく、非能率な取り付け作業をしていた。
本発明は、これらの欠点を除くためになされたものである。
【０００４】
【課題を解決するための手段】
パイプ柄（２）の柄尻に磁石（４）を設ける。
そして、パイプ柄（２）のもう片方に首長ハンマー（１）を装着する。
本発明は、以上のような構成よりなる首長インサートハンマーである。
【０００５】
【発明の実施の形態】
以下、本発明の実施例について説明する。
（イ）ゴムグリップ（３）を取り付けたパイプ柄（２）の柄尻に、磁石（４）を設ける。設けかたとしては、図５に示すように柄尻の小ぐち面に凹部をつくり、磁石（４）を凹部にはめ込み、表面が同一になるようにする。
なを図６に示すように、柄尻の小ぐち面に磁石（４）を出っぱらせた設け方もある。
（ロ）パイプ柄（２）のもう片方に、首長ハンマー（１）を装着する。これの構造については、図２に示すように普通のハンマーはハンマー先端からパイプ柄（２）の下端まで、５ｃｍから６ｃｍであるが、首長ハンマー（１）はこの２倍の１２ｃｍ前後の首下寸法（１１）とする。
本発明は、以上のような構造でこれを使用する場合、図３に示すように、床木製板型枠（８）の上に、釘打ち込み型インサート（７）を取り付ける時、上段ます目組み鉄筋（５）と下段ます目組み鉄筋（６）で構成された床の鉄筋の上から、首長ハンマー（１）で、釘付き打ち込み型インサート（７）の頭を直にたたければ、補助道具が不必要になる。
なを図４に示すように、床鉄板製型枠（１０）の上にあらかじめあけてある専用の穴に、はめ込み型インサート（９）を取り付ける時、首長ハンマー（１）の部分を手で握り、磁石（４）にはめ込み型インサート（９）を接着させ、上段ます目組み鉄筋（５）の上から専用穴めがけてはめ込めば、鉄筋がじゃまにならずに楽にインサートを取り付けられる。
【０００６】
【発明の効果】
補助道具が不必要になり能率も上がり、打ち込み型及びはめ込み型両方のインサートに使えるので便利である。
【図面の簡単な説明】
【図１】本発明の斜視図である。
【図２】本発明の側面図である。
【図３】本発明の使用状態を示す側面図である。
【図４】本発明の他の使用状態を示す側面図である。
【図５】本発明の柄尻に磁石装着の断面図である。
【図６】本発明の柄尻に磁石装着の別形態の断面図である。
【符号の説明】
１　首長ハンマー
２　パイプ柄
３　ゴムグリップ
４　磁石
５　上段ます目組み鉄筋
６　下段ます目組み鉄筋
７　釘付き打ち込み型インサート
８　床木製板型枠
９　はめ込み型インサート
１０　床鉄板製型枠
１１　首下寸法
【図１】
2004074392.tif 000003
【図２】
2004074392.tif 000004
【図３】
2004074392.tif 000005
【図４】
2004074392.tif 000006
【図５】
2004074392.tif 000007
【図６】
2004074392.tif 000008